(57)【要約】【課題】本発明の課題は、商品ケースの縦横２方向のいずれの側面にも取り付けることが可能であり、容易に抜け落ちることもなく、さらに物品を直接内部に収納することもできる取り付け構造体を提案するものである。【解決手段】商品ケースに取り付けて、情報の表示または／および物品の収納に使用する取り付け構造体であって、本体と差込片とを有し、差込片は商品ケースの一側面に形成された長方形の開封用隙間に挿入可能であり、係止片形成用切り込み線によって差込片の抜け落ちを防止する係止片を形成しており、さらにその先端中央部に突出部分を有し、該突出部分は、商品ケースの他の側面に形成された開封用切り込み線に挿入可能であり、先端が丸く突出し、両側部は２本の係止用切り込み線によって差込片の基部から区画されて形成されており、付け根部分に、突出部分の抜け落ちを防止する抜け落ち防止部を形成していることを特徴とする。【選択図】図１
2010264982.tif 000002
【特許請求の範囲】
【請求項１】
商品ケースの側面に取り付けて、情報の表示または／および物品の収納に使用する取り付け構造体であって、取り付け構造体本体と、差込片とを有し、該差込片は商品ケースの一側面に形成された長方形の開封用隙間に挿入可能であり、平行する２本の折り込み線からなる二重折り込み線を介して前記取り付け構造体本体の背面板に連設されているか、または取り付け構造体本体の背面に接着された差込片基礎板に連設されており、該差込片は、前記商品ケースの側面の板厚に相当する距離を取付け構造体の背面から保っており、該差込片は、前記二重折り込み線の中央部分を横断する２本の切り込み線と、該２本の切り込み線を結ぶ１本の切り込み線とからなる係止片形成用切り込み線によって差込片の抜け落ちを防止する係止片を形成しており、該差込片は、その先端中央部に突出部分を有し、該突出部分は、前記商品ケースの他の側面に形成された直線状の開封用切り込み線に挿入可能であり、該突出部分は、先端が丸く突出し、両側部は２本の係止用切り込み線によって差込片の基部から区画されて形成されており、該係止用切り込み線は、前記突出部分の中心線に向かってＬ字型に曲がることによって、前記突出部分の付け根部分に、突出部分の抜け落ちを防止する抜け落ち防止部を形成していることを特徴とする商品ケース用取り付け構造体。
【請求項２】
前記取り付け構造体本体は、箱構造を有することを特徴とする請求項１に記載の商品ケース用取り付け構造体。
【請求項３】
前記取り付け構造体本体は、板状であることを特徴とする請求項１に記載の商品ケース用取り付け構造体。
【請求項４】
前記取り付け構造体本体は、その内部中央部に水平に設けられた中仕切板を有することを特徴とする請求項２に記載の商品ケース用取り付け構造体。
【発明の詳細な説明】
【技術分野】
【０００１】
本発明は、缶ビールや清涼飲料水などを収納する段ボールケースに代表される商品ケースに取り付けて使用する、商品ケース用取り付け構造体に関する。
【背景技術】
【０００２】
近年量販店の増加に伴い、缶ビールや清涼飲料水などが段ボールケースごと販売される機会が増えている。ケース販売においても、他社製品との差別化を図るため、ケース毎に景品を付けたり、特別の表示をしたりする必要が生じる場合がある。
【０００３】
特許文献１に記載された本出願人の出願になるプレミアム取付表示板は、フラップ突き合わせ方式になる封緘部を有し、該封緘部はフラップの突き合わせ先端で線状の間隙が形成されていると共に、複数の瓶あるいは缶等の容器が収納された箱体に、プレミアム商品を添付したり、あるいは宣伝、広告等の情報を提示する取付表示板を、容易にかつ販売期間中に取れることなく取り付けることが出来るプレミアム取付表示板を提供することを目的としている。このプレミアム取付表示板は、側面部略中央に間隔を有する箱体に取り付けるプレミアム取付表示板であり、一端の先端部から箱体側面部における線状の間隙に挿入させて箱体に取り付ける係止片とこの係止片の他端に連設されそこに景品を取り付けて箱体の側面部にプレミアムを表示させるための吊り下げ片とを具備し、箱体の側面部と箱体に収納されている収納物との間に挟み付けて箱体の側面部に取り付けることを特徴とするプレミアム取付表示板である。
【先行技術文献】
【特許文献】
【０００４】
【特許文献１】特開2004-45802号公報
【発明の概要】
【発明が解決しようとする課題】
【０００５】
特許文献１に記載されたプレミアム取付表示板は、単に表示するだけの目的ではなく、プレミアム商品を添付する目的に使用する場合には、別に梱包されたプレミアム商品を何らかの方法によってこの取付表示板に取り付けて使用するものであるから、別途取り付ける操作が必要であり、手間がかかるばかりでなく、プレミアム商品の形状や重量によっては、うまく取り付けられない場合もあった。
【０００６】
また、箱体に取り付けたプレミアム取付表示板が、容易に脱落しないようにする方法として、箱体と内容物との間に挿入した係止片が、容易に抜けないようにするために、係止片を途中で折り返したり、係止片に突起を設けたりして、もっぱら係止片の摩擦力を増加させる方法に頼っているため、例えば箱体が傾いて内容物が片寄りした場合などに、簡単に抜けてしまうことがあった。
【０００７】
さらに、このプレミアム取付表示板は、取り付けようとする箱体の側面部に設けられた線状の間隙に取り付けて使用するように特化されているため、プレミアム取付表示板が通路側からよく見えるようにするためには、箱体の積み上げ方向が一方向に制約されてしまうという問題があった。
【０００８】
本発明の解決しようとする課題は、従来の上記の問題点に鑑み、商品ケースの縦横２方向のいずれの側面にも取り付けることが可能であり、容易に抜け落ちることもなく、さらにプレミアム商品等の物品を直接内部に収納することもできる取り付け構造体を提案する
ものである。
【課題を解決するための手段】
【０００９】
上記の課題を解決するための手段として、請求項１に記載の発明は、商品ケースの側面に取り付けて、情報の表示または／および物品の収納に使用する取り付け構造体であって、取り付け構造体本体と、差込片とを有し、該差込片は商品ケースの一側面に形成された長方形の開封用隙間に挿入可能であり、平行する２本の折り込み線からなる二重折り込み線を介して前記取り付け構造体本体の背面板に連設されているか、または取り付け構造体本体の背面に接着された差込片基礎板に連設されており、該差込片は、前記商品ケースの側面の板厚に相当する距離を取付け構造体の背面から保っており、該差込片は、前記二重折り込み線の中央部分を横断する２本の切り込み線と、該２本の切り込み線を結ぶ１本の切り込み線とからなる係止片形成用切り込み線によって差込片の抜け落ちを防止する係止片を形成しており、該差込片は、その先端中央部に突出部分を有し、該突出部分は、前記商品ケースの他の側面に形成された直線状の開封用切り込み線に挿入可能であり、該突出部分は、先端が丸く突出し、両側部は２本の係止用切り込み線によって差込片の基部から区画されて形成されており、該係止用切り込み線は、前記突出部分の中心線に向かってＬ字型に曲がることによって、前記突出部分の付け根部分に、突出部分の抜け落ちを防止する抜け落ち防止部を形成していることを特徴とする商品ケース用取り付け構造体である。
【００１０】
また、請求項２に記載の発明は、前記取り付け構造体本体が、箱構造を有することを特徴とする請求項１に記載の商品ケース用取り付け構造体である。
【００１１】
また、請求項３に記載の発明は、前記取り付け構造体本体が、板状であることを特徴とする請求項１に記載の商品ケース用取り付け構造体である。
【００１２】
また、請求項４に記載の発明は、前記取り付け構造体本体が、その内部中央部に水平に設けられた中仕切板を有することを特徴とする請求項２に記載の商品ケース用取り付け構造体である。
【発明の効果】
【００１３】
本発明に係る商品ケース用取り付け構造体は、取り付け構造体本体と、商品ケースの一側面に形成された長方形の開封用隙間に挿入可能な差込片を有し、該差込片は、商品ケースの他の側面に形成された直線状の開封用切り込み線に挿入可能な突出部分を有するので、商品ケースの縦横いずれの側面にも取り付けることが可能であり、従って、店舗内に商品ケースを積み上げて展示する際に、縦横どちら向きにも配置することができる。
【００１４】
本発明に係る商品ケース用取り付け構造体は、前記差込片が、二重折り込み線の中央部分を横断する２本の切り込み線と、該２本の切り込み線を結ぶ１本の切り込み線とからなる係止片形成用切り込み線によって差込片の抜け落ちを防止する係止片を形成し、また突出部分は、先端が丸く突出し、両側部は２本の係止用切り込み線によって差込片の基部から区画されて形成されており、該係止用切り込み線は、前記突出部分の中心線に向かってＬ字型に曲がることによって、前記突出部分の付け根部分に、突出部分の抜け落ちを防止する抜け落ち防止部を形成しているので、商品ケースの縦横いずれの側面に取り付けた場合であっても、その抜け落ちを防止することができる。
【００１５】
また本発明に係る商品ケース用取り付け構造体は、差込片の先端部が先端が丸く突出した突出部分となっているので、差込片または突出部分を商品ケースの開封用隙間や開封用切り込み線に挿入する際に、円滑に容易に挿入することができる。
【００１６】
前記取り付け構造体本体が、箱構造を有する場合には、箱の中に景品などを直接収納す
ることができる。従って景品などを商品ケースに添付する作業が極めて簡単に遂行できる。また抜け落ち防止作用により、容易には取り外せなくなるので、誤って景品だけを持ち去られるということもない。またさらに箱の内部中央部に水平に設けられた中仕切板を有する場合には、２種類あるいは２個の内容物を独立に収納することが可能となる。
【００１７】
前記取り付け構造本体が、板状である場合には、本体表面に各種の情報を表示する表示板として使用することができる。
【００１８】
前記差込片が、平行する２本の折り込み線からなる二重折り込み線を介して前記取り付け構造体本体の背面板に連設されている場合には、取り付け構造体を１枚のブランクからこれを折り曲げて、作製することが可能である。また、差込片が取り付け構造体本体の背面に接着された差込片基礎板に連設されている場合には、取り付け構造体本体に関する制約が無くなり、広範な構造、材質の本体に対して、取り付け構造体を実現することができる。
【図面の簡単な説明】
【００１９】
【図１】図１は、本発明に係る商品ケース用取り付け構造体の一実施態様を示した斜視図である。
【図２】図２は、図１に示した商品ケース用取り付け構造体を形成するブランクの展開図である。
【図３】図３は、図１に示した商品ケース用取り付け構造体を商品ケース側面の開封用切り込み線に取り付けた状態を示した斜視図である。
【図４】図４は、図１に示した商品ケース用取り付け構造体を商品ケース側面の開封用隙間に取り付けた状態を示した斜視図である。
【図５】図５は、本発明に係る商品ケース用取り付け構造体の他の実施態様を示した斜視図である。
【図６】図６は、本発明に係る商品ケース用取り付け構造体の他の実施態様を示した斜視図である。
【発明を実施するための形態】
【００２０】
以下図面に従って、本発明に係る商品ケース用取り付け構造体について詳細に説明する。図１は、本発明に係る商品ケース用取り付け構造体の一実施態様を示した斜視図である。また図２は、図１に示した商品ケース用取り付け構造体を形成するブランクの展開図である。また図３は、図１に示した商品ケース用取り付け構造体を商品ケース側面の開封用切り込み線に取り付けた状態を示した斜視図であり、図４は、図１に示した商品ケース用取り付け構造体を商品ケース側面の開封用隙間に取り付けた状態を示した斜視図である。
【００２１】
このように、本発明に係る商品ケース用取り付け構造体１は、商品ケース３１の縦、横いずれの側面にも取り付けることができるという特徴を持っている。以下図１と図２を併用しながら、説明する。本発明に係る商品ケース用取り付け構造体１は、商品ケース３１の側面に取り付けて、情報の表示または／および物品の収納に使用する取り付け構造体である。図１に示した実施態様においては、取り付け構造体１が箱構造を有し、内部に直接物品を収納することができるばかりでなく、さらに取り付け構造体本体２である箱の外表面には、必要な情報を表示することができる。例えば箱の内部にプレミアム物品（おまけ）を収納し、箱の表面には、プレミアム付き販売キャンペーンの説明を表示するといった使い方ができる。
【００２２】
本発明に係る商品ケース用取り付け構造体は、取り付け構造体本体２と、差込片３とを有し、差込片３は商品ケース３１の一側面に形成された長方形の開封用隙間３４に挿入可能である。差込片３は、平行する２本の折り込み線からなる二重折り込み線７を介して、取り付け構造体本体２の背面板に連設されているか、または取り付け構造体本体２の背面に接着された差込片基礎板に連設されている。この実施態様においては、取り付け構造体本体２の背面が上背面板と下背面板によって構成されており、差込片３は、下背面板１５に連設されている。
【００２３】
そのため、この実施態様における商品ケース用取り付け構造体１は、図２に示したような一繋がりの１枚のブランクから作製することができる。正面板１１には、折り込み線１９を介して天面板１２、底面板１３、２枚の蓋１６が連設されており、天面板１２には、折り込み線１９を介して上背面板１４が、また底面板１３には、折り込み線１９を介して下背面板１５が連設されている。また２枚の蓋１６にはそれぞれ舌片１７が連設されている。また天面板１２、底面板１３には、蓋１６の開放防止のためのフラップ１８が連設されている。
【００２４】
差込片３は、平行する２本の折り込み線からなる二重折り込み線７を介して下背面板１５に連設されており、二重折り込み線７によって１８０°折り曲げられており、前記商品ケース３１の側面の板厚に相当する距離を取付け構造体の背面から保っている。このことは、差込片３を商品ケース３１の開封用隙間３４に挿入した時、取り付け構造体１の外表面が商品ケース３１の外壁面と平行した状態で安定して取り付けられるという効果を発揮する。
【００２５】
差込片３は、前記二重折り込み線７の中央部分を横断する２本の切り込み線と、該２本の切り込み線を結ぶ１本の切り込み線とからなる係止片形成用切り込み線８によって差込片の抜け落ちを防止する係止片６を形成している。この係止片６は、差込片３が、商品ケース３１の開封用隙間３４に挿入されて、図４に示したような状態になった時に、上側外蓋フラップ３２に引っ掛かって、商品ケース取り付け構造体１が不用意に外れるのを防止する働きをする。
【００２６】
次に、差込片３は、先端中央部に突出部分４を有し、突出部分４は、商品ケース３１の他の側面に形成された直線状の開封用切り込み線３５に挿入可能である。商品ケース３１は、通常は上側外蓋フラップ３２と下側外蓋フラップ３３を開封用隙間３４に指を入れて引張ることにより開封するが、小売り店舗において収納物をばら売りするような場合には、商品ケース３１を箱の状態のまま水平に開封して展示する必要がある。このような場合のために、Ｈ字型の開封用切り込み線３５が設けられている。開封用切り込み線３５は、開封用のきっかけであり、ここを引き出してつまんで引張ることにより、箱の内側に形成されたミシン目によって水平に帯状に形成された開封帯が切断して、箱が水平に上下に分かれるように開封されるようになっている。
【００２７】
突出部分４は、先端が丸く突出し、両側部は２本の係止用切り込み線５によって差込片３の基部から区画されて形成されており、係止用切り込み線５は、突出部分３の中心線に向かってＬ字型に曲がることによって、突出部分３の付け根部分に、突出部分３の抜け落ちを防止する抜け落ち防止部９を形成している。
【００２８】
このように、突出部分４の先端は丸くなっているので、開封用切り込み線３５に挿入しやすい。また差込片全体を開封用隙間３４に挿入する時にも挿入しやすい。また抜け落ち防止部９の存在により、突出部分４が開封用切り込み線３５に挿入されたとき、この抜け落ち防止部９が、開封用切り込み線３５の上側に引っ掛かり、取り付け構造体が不用意に
抜け落ちるのを防止する。
【００２９】
図１、図２に示した実施態様においては、上背面板１４に折り線１９および折り線２１を介して中仕切板２０と糊代片２２が連設されている。図２のブランクにおいて折り込み線１９をすべて山折りし、二重折り込み線７と折り込み線２１のみを谷折りし、糊代片２２を正面板１１の裏面に糊付けし、下背面板１５の差込片３の付け根部分を上背面板１４の中仕切板２０の付け根部分に糊付けすることによって、図１に示した取り付け構造体１が完成する。
【００３０】
組み立てが完了し、内部に物品を収納した取り付け構造体１は、図３、図４に示したように、商品ケース３１の側面部に取り付けることができる。商品ケース３１の開封用切り込み線３５に取り付ける場合には、差込片３の先端の突出部分４を挿入する。また、商品ケース３１の上側外蓋フラップ３２と下側外蓋フラップ３３の間に形成された開封用隙間３４に取り付ける場合には、差込片３全体を開封用隙間３４に挿入する。このように、本発明に係る取り付け構造体１は、商品ケース３１の長辺、短辺どちらの側面にも取り付けることができるので、商品ケースを３１積み上げて販売する場合に、ケースを積み上げる向きが制約されることがなく、常に通路側から見やすいように表示することができる。
【００３１】
図５は、本発明に係る商品ケース用取り付け構造体の他の実施態様を示した斜視図である。この実施態様においては、取り付け構造体本体２が板状であり、差込片３は、取り付け構造体本体２の背面に接着された差込片基礎板１０に連設されている。差込片３の構造は、図１、図２に示した実施態様と同様である。このように、取り付け構造体本体２と差込片３を一体のものではなく、別の部品としたことで、取り付け構造体本体２の材質や形状の制約がなくなり、広範囲な材料、形状の取り付け構造体２を使用することができる。この実施態様においては、取り付け構造体２が板状であるので、もっぱら情報の表示用として用いられるが、取り付け構造体２を箱状とすれば、図１、図２に示した実施態様と同様に、内部に物品を収納することができる。
【００３２】
図６は、本発明に係る商品ケース用取り付け構造体の他の実施態様を示した斜視図である。この実施態様においても、取り付け構造体本体２は、板状であるが、正面板１１に連設された上背面板１４と下背面板１５を正面板１１の裏面に接着した構造となっており、差込片３は、下背面板１５に連設されている。この実施態様においても、差込片３の構造は、既に説明した内容と同様である。
【００３３】
商品ケース用取り付け構造体の材質としては、一般的なマニラボール紙、白ボール紙、チップボール紙等の坪量400〜850ｇ／ｍ2程度の板紙や、両面カード紙、裏白ボール紙、アイボリー紙等の坪量160〜600ｇ／ｍ2程度の板紙が使用される。厚さ１００〜５００μｍ程度のポリプロピレン樹脂、ポリスチレン樹脂、ＰＥＴ樹脂、ポリ塩化ビニル樹脂等のプラスチック板を使用しても良い。透明な材質のプラスチック板を使用して箱状の商品ケース用取り付け構造体とした場合には、内部に収納した物品を外から目視によって視認することができる。
【００３４】
商品ケース用取り付け構造体を製造するには、上記の材質の板に、必要な着色、印刷等を施し、折り曲げ線や切り込み線を施した後、所定の形状に打ち抜き、成形して製造する。製造に当たっては、通常の製函機を使用することができる。以下実施例に基づき、本発明に係る商品ケース用取り付け構造体について、具体的に説明する。
【実施例１】
【００３５】
坪量２３０ｇ／ｍ2のコートアイボリー紙の表面にオフセット印刷法により印刷を施し、折り曲げ線と切り込み線を入れた後、図２に示した形状のブランクに打ち抜いた。このブランクの糊代片２２と下背面板１５の差込片３の付け根部分のそれぞれ裏面側に接着剤を塗布し、折り込み線１９をすべて山折りし、折り込み線２１と二重折り込み線７を谷折りして組み立て、図１に示した商品ケース用取り付け構造体１を作製した。
【００３６】
商品ケース用取り付け構造体の本体部分は、内部に中仕切板２０を有する箱状であり、正面板を初めとする箱体の表面には、発泡酒の新発売キャンペーンに関わる表示が印刷されており、また箱の内部には、発泡酒の新発売キャンペーンの景品であるコースターを収納し、商品ケースに添付した。商品ケース用取り付け構造体は、商品ケースの短辺にある開封用隙間にも、長辺にある開封用切り込み線にも取り付け可能であり、どちらに取り付けた場合にも、係止片ないしは抜け落ち防止部が有効に作用して、不用意に脱落することなく、キャンペーンの効果を上げるのに役立った。
【符号の説明】
【００３７】
１・・・商品ケース用取り付け構造体
２・・・取り付け構造体本体
３・・・差込片
４・・・突出部分
５・・・係止用切り込み線
６・・・係止片
７・・・二重折り込み線
８・・・係止片形成用切り込み線
９・・・抜け落ち防止部
１０・・・差込片基礎板
１１・・・正面板
１２・・・天面板
１３・・・底面板
１４・・・上背面板
１５・・・下背面板
１６・・・蓋
１７・・・舌片
１８・・・フラップ
１９・・・折り込み線
２０・・・中仕切板
２１・・・折り込み線
２２・・・糊代片
３１・・・商品ケース
３２・・・上側外蓋フラップ
３３・・・下側外蓋フラップ
３４・・・開封用隙間
３５・・・開封用切り込み線
【図１】
2010264982.tif 000003
【図２】
2010264982.tif 000004
【図３】
2010264982.tif 000005
【図４】
2010264982.tif 000006
【図５】
2010264982.tif 000007
【図６】
2010264982.tif 000008